(57)【特許請求の範囲】
【請求項１】
複数の骨壺を収容する収容箱を複数保管する保管部と、
前記保管部から取り出された前記収容箱を参拝用の支持位置において静止状態で支持する支持部と、
前記保管部と前記支持部との間で搬送経路に沿って前記収容箱を搬送する搬送装置とを備えた参拝設備であって、
前記支持部、前記搬送装置、及び、前記保管部が配置される第１領域と、参拝者が参拝を行う参拝位置を含む第２領域とを仕切る仕切壁と、
前記仕切壁に形成された開口部を覆うように設けられて、透過性を有する表示部に画像を表示する透過式ディスプレイと、
前記搬送装置の搬送作動を制御する搬送制御部と、
前記透過式ディスプレイの表示作動を制御する表示制御部と、が設けられ、
前記開口部は、前記支持位置に支持された前記収容箱と前記参拝位置に位置する参拝者の視点の基準位置である基準視点位置とを結ぶ線が交差する位置を含む領域に形成され、
前記搬送制御部は、前記第２領域で参拝する参拝者の識別情報である対象識別情報に基づいて前記搬送装置を制御し、前記対象識別情報に対応する前記収容箱を前記保管部から前記支持部に搬送させる参拝用搬送制御を実行し、
前記表示制御部は、前記対象識別情報に対応する画像を前記表示部に表示する表示制御を実行する参拝設備。
【請求項２】
前記表示制御部は、前記表示制御として、前記参拝者が前記基準視点位置から前記支持位置に支持された前記収容箱を見たと仮定したときに前記収容箱と重複する前記表示部上の領域である設定表示領域に前記画像を表示させる領域内表示制御を実行する請求項１に記載の参拝設備。
【請求項３】
前記搬送経路における前記収容箱の位置を検出する搬送位置検出部が設けられ、
前記表示制御部は、前記搬送位置検出部から前記収容箱の前記搬送経路における位置情報を取得自在に構成され、かつ、前記表示制御として、前記搬送位置検出部から取得した前記収容箱の位置情報に基づいて、前記設定表示領域を変更する表示領域変更制御を実行する請求項２に記載の参拝設備。
【請求項４】
前記表示制御部は、前記表示部における前記設定表示領域以外の領域である第２設定表示領域に、前記参拝位置で参拝する参拝者からの前記第１領域の視認性を低下させる第２画像を表示させる領域外表示制御を実行する請求項２又は３に記載の参拝設備。
【請求項５】
前記画像が、前記対象識別情報に対応する苗字及び家紋の一方又は両方である請求項１から４のいずれか１項に記載の参拝設備。
【発明の詳細な説明】
【技術分野】
【０００１】
本発明は、複数の骨壺を収容する収容箱を複数保管する保管部 と、前記保管部から取り出された収容箱を参拝用の支持位置において静止状態で支持する支持部と、前記保管部と前記支持部との間で前記収容箱を搬送する搬送装置とを備えた参拝設備に関する。
【背景技術】
【０００２】
このような参拝設備の従来例として、特開２０１４−２３４６１６号公報（特許文献１）には、搬送装置によって参拝用の支持位置まで収容箱を搬送させ、参拝用の支持位置において支持部に支持されている収容箱を参拝できるように構成されたものが開示されている。
【０００３】
特許文献１のような従来の参拝設備においては、１つの家（ここでは、主に家族等の心理的に結びついた一纏まりの集団を示す）に対して１つの収容箱が割当てられている。収容箱の側面には、収容箱がその家のものであることを示すために、苗字や家紋等の家を象徴するシンボルが表示されている。そして、１つの収容箱に複数の骨壺を収容する場合は、当該１つの収容箱には、同じ家に属する故人の遺骨を納めた骨壺を収容するようになっている。
【先行技術文献】
【特許文献】
【０００４】
【特許文献１】特開２０１４−２３４６１６号公報
【発明の概要】
【発明が解決しようとする課題】
【０００５】
しかしながら、近年、核家族化等の影響により、複数の骨壺を収容可能な単一の収容箱に対して、１つの家について収容する予定のある骨壺が収容箱の収容可能数よりも少ない場合が生じており、収容効率の低下が生じている。そこで、収容箱の収容効率を向上させる対策として、異なる家についての複数の骨壺を単一の収容箱に収容することが考えられる。
【０００６】
上記のように異なる家の骨壺を単一の収容箱に収容する場合、従来のように収容箱の側面に苗字や家紋を表示しようとすると、その厨子に骨壺が収められている複数の家の分だけ表示する必要があり、参拝者は、故人と無関係な家の苗字や家紋が描かれた収容箱を参拝することになってしまう。このような参拝形態であると、参拝者は心情的な抵抗を感じる虞がある。
【０００７】
そこで、収容箱における骨壷の収容効率を向上させても参拝者が心情的な抵抗を感じることを防止できる参拝設備の実現が望まれる。
【課題を解決するための手段】
【０００８】
本発明に係る参拝設備は、複数の骨壺を収容する収容箱を複数保管する保管部と、前記保管部から取り出された前記収容箱を参拝用の支持位置において静止状態で支持する支持部と、前記保管部と前記支持部との間で前記収容箱を搬送する搬送装置とを備えたものであって、
前記支持部、前記搬送装置、及び、前記保管部が配置される第１領域と、参拝者が参拝を行う参拝位置を含む第２領域とを仕切る仕切壁と、前記仕切壁に形成された開口部を覆うように設けられて、透過性を有する表示部に画像を表示する透過式ディスプレイと、前記搬送装置の搬送作動を制御する搬送制御部と、前記透過式ディスプレイの表示作動を制御する表示制御部と、が設けられ、前記開口部は、前記支持位置に支持された前記収容箱と前記参拝位置に位置する参拝者の視点の基準位置である基準視点位置とを結ぶ線が交差する位置を含む領域に形成され、前記搬送制御部は、前記第２領域で参拝する参拝者の識別情報である対象識別情報に基づいて前記搬送装置を制御し、前記対象識別情報に対応する前記収容箱を前記保管部から前記支持部に搬送させる参拝用搬送制御を実行し、前記表示制御部は、前記対象識別情報に対応する画像を前記表示部に表示する表示制御を実行する点を特徴とする。
【０００９】
すなわち、１つの収容箱に異なる家に属する故人の骨壺が混在して収容されることで、収容箱の収容可能数に達するように骨壺を収容した状態とし易くなるため、１つの収容箱に同じ家に属する故人の骨壺のみ収容する場合に比べて、収容箱における骨壷の収容効率を向上させることができる。
また、透過式ディスプレイの表示部には、参拝者に対応する画像が表示されるので、当該収容箱に異なる家についての骨壺を収容していたとしても、参拝者に所以の無い、例えば異なる家についての情報が表示されないようにすることができ、参拝者が心情的な抵抗を感じることを防止できる。
このように、本特徴構成によれば、収容箱における骨壷の収容効率を向上させても参拝者が心情的な抵抗を感じることを防止できる参拝設備を提供できる。
【００１０】
本発明に係る参拝設備においては、前記表示制御部は、前記表示制御として、前記参拝者が前記基準視点位置から前記支持位置に支持された前記収容箱を見たと仮定したときに前記収容箱と重複する前記表示部上の領域である設定表示領域に前記画像を表示させる領域内表示制御を実行することが好ましい。
【００１１】
すなわち、参拝者に対応する画像（例えば参拝者に対応する家の苗字や家紋の画像）が収容箱に重複して表示部に表示されるので、あたかもその画像が収容箱に表示されているかのような視覚効果を参拝者に与えることができる。このため、参拝者は、表示された画像が支持位置で支持されている収容箱についての情報であることを直感的に把握できる。
【００１２】
本発明に係る参拝設備においては、前記搬送経路における前記収容箱の位置を検出する搬送位置検出部が設けられ、
前記表示制御部は、前記搬送位置検出部から前記収容箱の前記搬送経路における位置情報を取得自在に構成され、かつ、前記表示制御として、前記搬送位置検出部から取得した前記収容箱の位置情報に基づいて、前記設定表示領域を変更する表示領域変更制御を実行することが好ましい。
【００１３】
すなわち、透過式ディスプレイの先に参拝者が第１領域を視認できるため、参拝者は、収容箱が搬送装置で搬送される過程も視認できることになる。そこで、搬送過程において移動している収容箱の位置に合わせて画像の表示位置を変更することで、参拝者に対して、搬送中の収容箱に画像が表示されているかのように見せることができる。
このため、収容箱の搬送過程における早い段階で収容箱に画像が表示させることができ、収容箱が支持位置に到達したときにいきなり画像を表示する場合に比べて、自家の収容箱を参拝しているという安心感を参拝者に与えることができる。
【００１４】
本発明に係る参拝設備においては、前記表示制御部は、前記表示部における前記設定表示領域以外の領域である第２設定表示領域に、前記参拝位置で参拝する参拝者からの前記第１領域の視認性を低下させる第２画像を表示させる領域外表示制御を実行することが好ましい。
【００１５】
すなわち、透過式ディスプレイの先に参拝者が第１領域を視認できるため、第１領域に存在する搬送装置等の構成が第２領域における参拝位置の参拝者から見えてしまう虞がある。骨壷を収容した収容箱が人の手ではなく搬送装置で無機的に搬送されることに対して参拝者が心情的に抵抗感を感じる虞がある。このため、第２設定表示領域に第２画像を表示させて参拝位置で参拝する参拝者からの第１領域の視認性を低下させることで、収容箱が搬送装置で搬送されることに対する参拝者の心情的な抵抗感を緩和させることができる。
【００１６】
本発明に係る参拝設備においては、前記画像が、前記対象識別情報に対応する苗字及び家紋の一方又は両方であることが好ましい。
【００１７】
すなわち、対象識別情報に対応する苗字及び家紋の一方又は双方を表示部に表示することによって、収容箱が自己の参拝対象であるという安心感を参拝者に与えることができる。
【図面の簡単な説明】
【００１８】
【図１】参拝設備の平面図
【図２】収納棚の構成を示す一部切欠き斜視図
【図３】厨子とそれに収容された骨壷を示す斜視図
【図４】参拝箇所及びコンベヤを示す図
【図５】制御ブロック図
【図６】制御部が実行する制御を示すフローチャート
【図７】コンベヤによる厨子の搬送位置の遷移を示す図
【図８】実施形態における画像の表示態様を示す図
【図９】別実施形態における画像の表示態様を示す図
【発明を実施するための形態】
【００１９】
以下、図面に基づいて、実施形態に係る参拝設備について説明する。
図１〜図３に示すように、参拝設備には、遺骨が収納される骨壺Ｋを収めた厨子Ｂ（収容箱の一例）を各別に収納自在な複数の収納部１０Ｓが上下方向並びに左右方向の夫々に並列配置された収納棚１０と、厨子Ｂを参拝箇所Ｓに向けて搬送するコンベヤ３０と、収納部１０Ｓとコンベヤ３０の授受箇所との間で厨子Ｂを搬送するスタッカークレーン２０とが設けられている。
【００２０】
スタッカークレーン２０は、収納棚１０の前面に左右方向に沿って敷設された走行レール２０Ｒ上を走行する走行台車２１と、走行台車２１に立設された昇降案内マスト２２と、昇降案内マスト２２に沿って昇降移動する昇降台２３と、昇降台に支持されて厨子Ｂを収納部１０Ｓと昇降台２３との間で移載するスライドフォーク２４とを備えている。
【００２１】
コンベヤ３０は、一端（授受箇所）がスライドフォーク２４の出退方向で収納部１０Ｓと同じ位置に位置し、他端が、平面視で後述する透過式ディスプレイＤに隣接する位置となるように設けられている。本実施形態において、コンベヤ３０の上記他端側の部分３０Ｓに参拝用の支持位置が設定されている。厨子Ｂは、参拝時には、参拝用の支持位置に静止状態で支持される。本実施形態では、参拝箇所Ｓは２つ設けられており、コンベヤ３０は夫々の参拝箇所Ｓに対して各別に設けられている。
コンベヤ３０は、正逆方向に駆動して厨子Ｂを搬送可能に構成されており、厨子Ｂを保管部から参拝用の支持位置に搬送し、かつ、支持位置に位置する厨子Ｂを保管部に搬送することが可能となっている。
【００２２】
本実施形態においては、収納棚１０とスタッカークレーン２０とが保管部に相当し、コンベヤ３０が搬送経路に沿って厨子Ｂを搬送する搬送装置に相当し、コンベヤ３０における参拝用の支持位置に対応する部分３０Ｓが支持部に相当する。
すなわち、参拝設備は、複数の骨壺Ｋを収容する厨子Ｂを複数保管する収納棚１０と、収納棚１０から取り出された厨子Ｂを参拝用の支持位置において静止状態で支持する支持部と、保管部と支持部との間で厨子Ｂを搬送するコンベヤ３０とを備えている。
【００２３】
厨子Ｂは、図３に示すように、立方体又は直方体状の木箱で構成され、内部に複数の骨壺Ｋが収容可能となっている。図３では、収容される骨壺Ｋの数を２つとしているが、収容可能な骨壺Ｋの数は上記に限らず任意である。本実施形態の参拝設備においては、異なる家に属する故人の骨壺Ｋを混在させて収容する厨子Ｂと、同一の家に属する故人の骨壺Ｋのみを収容する厨子Ｂとを扱うようになっている。厨子Ｂの側面は、黒塗りの無地となるようにされている。
【００２４】
図１及び図４に示すように、参拝設備には、支持部、コンベヤ３０、及び、収納棚１０が配置される第１領域Ａ１と、参拝者Ｍが参拝を行う参拝位置を含む第２領域Ａ２とを仕切る仕切壁Ｗが設けられている。
参拝箇所Ｓにおける仕切壁Ｗには、第１領域Ａ１と第２領域Ａ２とを連通する開口部Ｗｋが設けられている。開口部Ｗｋは、コンベヤ３０における支持位置に対応する部分に支持された厨子Ｂと参拝位置（図１における参拝者Ｍ１の位置）に位置する標準的な身長の参拝者Ｍの視点の位置である基準視点位置とを結ぶ線が交差する位置を含む領域に形成されている。また、透明の表示部Ｄ１に画像を表示する透過式ディスプレイＤが、開口部Ｗｋを覆うように設けられている。透過式ディスプレイＤは、後述する制御部Ｈからの指令により、文字や図形等の任意の画像または映像が表示可能に構成されている。
【００２５】
仕切壁Ｗの第１領域側であって参拝箇所Ｓで参拝する参拝者Ｍが視認可能な位置に、液晶ディスプレイ等の表示デバイスで構成された情報表示部Ｆが備えられている。情報表示部Ｆには、後述する制御部Ｈからの指令により、文字や図形等の任意の画像または映像を表示可能となっている。具体的には、情報表示部Ｆには、故人の戒名や、生前のエピソード、生前の写真、或いは次回の法事の情報等の付随情報が表示される。
また、参拝箇所Ｓには、参拝者Ｍに各別に付与されている識別情報である対象識別情報を当該参拝者Ｍが入力可能な操作端末Ｎｔが設置されている。操作端末Ｎｔに入力された対象識別情報は制御部Ｈに送信されるようになっている。なお、対象識別情報の入力方法としては、キーボードやテンキー、又はタッチパネル等の入力デバイスによって入力する方法や、ＩＣカード等に記録された対象識別情報を読取部によって読取る方法等、各種の方法を用いてよい。
【００２６】
図５に、本参拝設備の制御ブロック図を示す。
制御部Ｈは、例えば中央処理装置とハードディスク等の記憶装置とを備えたパーソナルコンピュータやＰＣサーバ等の汎用コンピュータにて構成されている。制御部Ｈには、スタッカークレーン２０、コンベヤ３０、操作端末Ｎｔ、情報表示部Ｆ、及び、透過式ディスプレイＤが接続されている。また、制御部Ｈには、プログラム形式で、コンベヤ３０の搬送経路における厨子Ｂの位置を検出する搬送位置検出部ＨＫ、スタッカークレーン２０及びコンベヤ３０の作動を制御する搬送制御部Ｈ０、透過式ディスプレイＤの表示状態又は表示内容を制御する表示制御部Ｈ１、及び、データベースプログラム（図示省略）が実装されている。
すなわち、参拝設備には、コンベヤ３０の搬送作動を制御する搬送制御部Ｈ０と、透過式ディスプレイＤの表示作動を制御する表示制御部Ｈ１と、が設けられている。
また、表示制御部Ｈ１は、搬送位置検出部ＨＫから厨子Ｂの搬送経路における位置情報を取得自在に構成されている。なお、搬送位置検出部ＨＫは、例えば、コンベヤ３０を構成するローラ３０Ｒ（図７）の回転数を検出するロータリエンコーダの検出値に基づいて厨子Ｂの位置を検出するように構成されている。
【００２７】
データベースプログラムは、厨子Ｂの識別情報である厨子識別情報と、その厨子Ｂを収納すべき収納部１０Ｓの位置情報とを対応付けて記憶し、かつ、対象識別情報とその参拝者Ｍに対して登録された厨子Ｂの厨子識別情報とを対応付けて記憶するデータベースを備えている。制御部Ｈは、対象識別情報に基づいて参拝者Ｍに対応する厨子Ｂを特定し、当該厨子Ｂの厨子識別情報に基づいて厨子Ｂが収納されている収納部１０Ｓの位置情報を特定する参拝者厨子紐付処理を実行するように構成されている。
【００２８】
表示制御部Ｈ１は、情報表示部Ｆ及び透過式ディスプレイＤに対して、文字情報、画像情報、もしくは映像を表示させる表示指令を送信可能に構成されている。
表示制御部Ｈ１は、対象識別情報と、その対象識別情報の参拝者Ｍに対応する苗字及び家紋の画像Ｇ（図８参照）とを対応づけて記憶している。
【００２９】
また、表示制御部Ｈ１は、参拝箇所Ｓにおける参拝位置に位置する標準的な身長の参拝者Ｍの視点の位置である基準視点位置から、支持位置３０Ｓに支持された厨子Ｂを見たと仮定したときに、透過式ディスプレイＤの表示部Ｄ１が当該厨子Ｂに重複する領域を設定表示領域として記憶し、表示部Ｄ１における設定表示領域以外の領域を第２設定表示領域として記憶している。そして、表示制御部Ｈ１は、設定表示領域に画像Ｇを表示させる領域内表示制御と、第２設定表示領域に、参拝位置で参拝する参拝者からの第１領域Ａ１の視認性を低下させるための画像である第２画像ＧＳを表示させる領域外表示制御を実行するようになっている。なお、第２画像ＧＳとしては、例えば故人の写真、雲や花等の画像、又は、故人の動画等を表示することが考えられる。
【００３０】
また、コンベヤ３０によって厨子Ｂを搬送するに伴って、上記設定表示領域も移動するため、表示制御部Ｈ１は、厨子Ｂの位置情報とその位置に厨子位置する場合における設定表示領域とを予め記憶し、搬送位置検出部ＨＫから取得した厨子Ｂの位置情報に基づいて、設定表示領域を変更する表示領域変更制御を実行するように構成されている。
【００３１】
次に、図６のフローチャートに基づいて本実施形態における透過式ディスプレイＤへの表示制御について説明する。
制御部Ｈは、操作端末Ｎｔから対象識別情報が入力されると（ステップ＃１）、当該対象識別情報に基づいて参拝者厨子紐付処理を実行し、制御部Ｈにおける搬送制御部Ｈ０が、参拝者厨子紐付処理の結果に基づいて、厨子Ｂを収納部１０Ｓからコンベヤ３０の授受箇所に搬送させる搬送指令をスタッカークレーン２０に指令する（ステップ＃２）。スタッカークレーン２０が厨子Ｂをコンベヤ３０の授受箇所に載置すると、搬送制御部Ｈ０は、コンベヤ３０に厨子Ｂの搬送開始を指令する（ステップ＃３）。
【００３２】
コンベヤ３０で厨子Ｂを搬送している間、制御部Ｈは、搬送位置検出部ＨＫから厨子Ｂの搬送位置を取得し（ステップ＃４）、厨子Ｂが支持位置３０Ｓに到達したか否かを判別する（ステップ＃５）。
ステップ＃５において、厨子Ｂが支持位置３０Ｓに到達していない（ステップ＃５：Ｎｏ）と判別した場合（すなわち、厨子Ｂが搬送中である場合）には、制御部Ｈにおける表示制御部Ｈ１は、搬送位置検出部ＨＫから取得した厨子Ｂの位置情報に基づいて設定表示領域を変更する表示領域変更制御を実行し（ステップ＃６）、当該表示領域変更制御によって設定される設定表示領域に画像Ｇを表示する領域内表示制御（ステップ＃７）、及び、表示領域変更制御によって設定される設定表示領域以外の表示部Ｄ１上の領域である第２設定表示領域に第２画像ＧＳを表示する領域外表示制御（ステップ＃８）を実行する。
【００３３】
ステップ＃８の実行に続いて、表示制御部Ｈ１はステップ＃４の処理に戻る。
一方、ステップ＃５において厨子Ｂが支持位置３０Ｓに到達したと判別すると、制御部Ｈは、コンベヤ３０に対して搬送を停止させる停止指令を指令する（ステップ＃９）。
本実施形態において、ステップ＃７の領域内表示制御が表示制御に相当する。すなわち、表示制御部Ｈ１は、対象識別情報に対応する画像Ｇを表示部Ｄ１に表示する表示制御を実行する。
【００３４】
ステップ＃６〜ステップ＃８の処理について、図７、８に基づいて表示部Ｄ１での表示例を説明する。図７は、搬送位置検出部ＨＫによって連続的に検出される厨子Ｂのコンベヤ３０の搬送経路上の位置のうち、位置Ｐ１、Ｐ２、Ｐ３に厨子Ｂが位置する場合を模式的に表したものである。
【００３５】
厨子Ｂが位置Ｐ１からＰ２へ、また、位置Ｐ２からＰ３へと移動するにしたがって、参拝者Ｐが透過式ディスプレイＤを介して視認する厨子Ｂの大きさが変化する。図８上段に示すように、位置Ｐ１に厨子Ｂが位置する場合、参拝者Ｍから見える厨子Ｂの大きさは表示部Ｄ１の全体よりも小さい。そこで、表示部Ｄ１において厨子Ｂと重複する領域を設定表示領域Ｅ１とし、表示部Ｄ１において設定表示領域Ｅ１以外の領域を第２設定表示領域Ｅ２として、設定表示領域Ｅ１には家紋Ｇ１と苗字Ｇ２とを表示し、第２設定表示領域Ｅ２には、雲や花等の第２画像ＧＳを表示している。
【００３６】
位置Ｐ２に厨子Ｂが位置する場合、参拝者Ｍから見える厨子Ｂの大きさは表示部Ｄ１の全体よりも小さいものの、位置Ｐ１における設定表示領域Ｅ１の大きさよりも大きくなる。そこで、図８中段に示すように、設定表示領域Ｅ１を位置Ｐ１におけるものよりも大きい領域に変更し、かつ、第２設定表示領域Ｅ２を変更された設定表示領域Ｅ１以外の領域に変更し、変更後の設定表示領域Ｅ１に対応する大きさで家紋Ｇ１と苗字Ｇ２とを表示し第２設定表示領域Ｅ２には、雲や花等の第２画像ＧＳを表示する。
【００３７】
位置Ｐ３に厨子Ｂが位置する場合、参拝者から見える厨子Ｂの大きさは表示部Ｄ１の全体とほぼ等しくなっている。そこで、図８下段に示すように、設定表示領域Ｅ１を表示部Ｄ１の全体の大きさに変更し、第２設定表示領域Ｅ２を消滅させるように変更し、変更後の設定表示領域Ｅ１に対応する大きさで家紋Ｇ１と苗字Ｇ２とを表示する。
【００３８】
このように、コンベヤ３０の搬送経路における厨子Ｂの移動に併せて、画像Ｇを表示させる設定表示領域を変更することで、画像Ｇが恰も厨子Ｂに表示されているような視覚効果を参拝者Ｍに与えることができる。
【００３９】
〔別実施形態〕
（１）上記実施形態では、搬送装置としてローラー式のコンベヤ３０を例示したが、このような構成に限定されるものではなく、搬送装置をベルトコンベヤやスラットコンベヤとしたり、自走式台車としてもよく、搬送装置としては様々な装置を適用可能である。
また、上記実施形態では、保管部を収納棚１０とスタッカークレーン２０とから構成する例を示したが、スタッカークレーン２０を設けず、コンベヤ３０への厨子Ｂの移載に人手を介在させるように構成してもよい。
【００４０】
（２）上記実施形態では、画像Ｇを識別情報に対応する家紋Ｇ１及び苗字Ｇ２の両方とする例を示したが、画像Ｇが家紋Ｇ１及び苗字Ｇ２の一方であってもよい。また、画像Ｇを、家紋Ｇ１や苗字Ｇ２ではなく故人の写真としたり、その他故人や故人が属する家や集団を象徴する図形（例えば屋号、商号やＣＩマーク等）とすることも可能である。
【００４１】
（３）上記実施形態では、搬送制御部Ｈ０及び表示制御部Ｈ１を単一の制御部Ｈを構成するコンピュータに実装するプログラム形式で備える構成を説明したが、搬送制御部Ｈ０及び表示制御部Ｈ１を別のコンピュータとしてもよい。
【００４２】
（４）上記実施形態では、設定表示領域Ｅ１を、参拝位置に位置する標準的な身長の参拝者Ｍの視点の位置である基準視点位置から、支持位置３０Ｓに支持された厨子Ｂを見たと仮定したときに、透過式ディスプレイＤの表示部Ｄ１が当該厨子Ｂに重複する領域として設定する例を説明したが、設定表示領域Ｅ１を参拝者Ｍ夫々の視点位置に合わせて参拝者Ｍ各別に設定する構成としてもよい。この場合、表示制御部Ｈ１に、当該参拝者Ｍの対象識別情報とその参拝者Ｍに対応する設定表示領域Ｅ１とを対応付けて記憶させておき、操作端末Ｎｔから対象識別情報が入力されたときに記憶している設定表示領域Ｅ１の情報を読み出すように構成してもよい。
また、参拝箇所Ｓに参拝位置に位置する参拝者Ｍを撮像する撮像装置を設け、当該撮像装置が撮像した画像に基づいて、画像処理等により透過式ディスプレイＤに対する参拝者Ｍの目の高さを検出する検出装置を設け、表示制御部Ｈ１が、検出装置の検出結果に基づいて設定表示領域Ｅ１を設定するようにしてもよい。
【００４３】
（５）上記実施形態では、図７における搬送位置Ｐ１からＰ２へ、また、位置Ｐ２からＰ３へと厨子Ｂが移動するにしたがって、設定表示領域Ｅ１の面積を変更する例を示したが、例えばコンベヤ３０の搬送経路が表示部Ｄ１の面が双方向と平行である場合には、設定表示領域Ｅ１の大きさ（面積）ではなく設定表示領域Ｅ１の位置を変えるようにしてもよい。
【００４４】
（６）上記実施形態では、表示制御部Ｈ１が、厨子Ｂの搬送位置Ｐ１、Ｐ２、Ｐ３に対応して設定表示領域Ｅ１の大きさを変更させる表示領域変更処理を実行する例を説明したが、このような構成に限定されるものではない。例えば、表示制御部Ｈ１が、厨子Ｂの搬送位置が変化しても設定表示領域Ｅ１を変更しないように構成し、かつ、厨子Ｂの搬送位置が位置Ｐ１、Ｐ２、Ｐ３と遷移するにしたがって図９上段、図９中段、図９下段に示すように表示させる画像Ｇをぼかし画像から徐々に明瞭な画像に変化させるように構成してもよい。
また、図８のように設定表示領域Ｅ１の大きさを変更するとともに、図９のように画像Ｇをぼかし画像から明瞭な画像に徐々に変化させるようにしてもよい。
【００４５】
（７）上記実施形態では、参拝設備を、故人の遺骨を納めた骨壺を収容した厨子Ｂを参拝する人間用の参拝設備とする例を説明したが、ペットの遺骨を納めた骨壺を収容した厨子Ｂを参拝するペット用の参拝設備に適用してもよい。また、上記実施形態では、厨子Ｂに収容するのは個人やペットの骨壺に限定されるものではなく、故人やペットの遺品を収容するようにしてもよい。
【００４６】
（８）上記実施形態では、故人の戒名や生前のエピソード等の付随情報を情報表示部Ｆに表示させる例を示したが、情報表示部Ｆに代えて透過式ディスプレイＤに付随情報を表示させるようにしてもよい。
【００４７】
（９）上記実施形態では、厨子Ｂの側面を黒塗りの無地とするように構成したが、透過式ディスプレイＤに近接しない側面については装飾を施したり、収容される故人名等の情報を表示する等してもよい。また、同じ家に属する故人の骨壺Ｋのみを収容する厨子Ｂの側面には、その家の家紋や苗字を表示するようにしてもよい。この場合、報表示制御部Ｈ１は、当該厨子Ｂに対して対象識別情報に対応する画像Ｇは表示せず、第２画像ＧＳのみを表示するようにすることができる。
【符号の説明】
【００４８】
１０    収納棚（保管部）
３０    コンベヤ（搬送装置）
３０Ｓ  支持位置
Ａ１    第１領域
Ａ２    第２領域
Ｂ      厨子（収容箱）
Ｄ      透過式ディスプレイ
Ｄ１    表示部
Ｅ１    設定表示領域
Ｅ２    第２設定表示領域
Ｇ      画像
Ｇ１    家紋
Ｇ２    苗字
ＧＳ    第２画像
Ｈ０    搬送制御部
Ｈ１    表示制御部
ＨＫ    搬送位置検出部
Ｋ      骨壺
Ｍ      参拝者
Ｗ      仕切壁
Ｗｋ    開口部
【図１】
0006428512.tif 000002
【図２】
0006428512.tif 000003
【図３】
0006428512.tif 000004
【図４】
0006428512.tif 000005
【図５】
0006428512.tif 000006
【図６】
0006428512.tif 000007
【図７】
0006428512.tif 000008
【図８】
0006428512.tif 000009
【図９】
0006428512.tif 000010